(57)【特許請求の範囲】
【請求項１】
ガイドレール２で走行案内されるランナー本体４と、戸パネル１に装着されるハウジング５とを有し、
ランナー本体４に設けたランナー軸８とハウジング５との間に、前後調整機構が設けてあるランナーユニットであって、
前後調整機構は、ハウジング５に固定した上下方向の揺動軸１８で前後揺動可能に軸支した揺動アーム１９と、ハウジング５で左右スライド自在に案内支持されて、調整ねじ２１で左右方向へ変位操作されるカム板２０とを含み、
ランナー軸８は、カム板２０に設けたカム溝２３を挿通して揺動アーム１９に連結されており、
カム板２０の左右変位をカム溝２３で前後変位に変換して、ランナー軸８および揺動アーム１９を前後方向へ調整操作することを特徴とする戸パネル用のランナーユニット。
【請求項２】
ランナー軸８がランナーブロック６で回転自在に軸支されており、
ランナー軸８と揺動アーム１９とが高さ調整用のねじ２５を介して連結されており、
ハウジング５から突出するランナー軸８の一部に操作部９が設けてある請求項１記載の戸パネル用のランナーユニット。
【請求項３】
ハウジング５に揺動アーム１９を収容するアーム室１３が前後貫通状に形成されており、
アーム室１３の上壁にカム板２０をスライド案内するガイド部１４が設けられており、
カム板２０は、ガイド部１４で案内される断面コ字状のスライド部２０ａと、スライド部２０ａの一端下部に設けられる雌ねじ部２０ｂとを備えており、
ハウジング５で回転のみ自在に支持した調整ねじ２１をカム板２０の雌ねじ部２０ｂにねじ込んで、カム板２０を左右方向へ変位操作する請求項１または２記載の戸パネル用のランナーユニット。
【請求項４】
ガイドレール３で移行案内されて戸パネル１の前後遊動を規制するランナー３１と、戸パネル１に装着されるハウジング３２とを有し、ランナー３１のランナー軸５０とハウジング３２との間に、第２の前後調整機構が設けてあるランナーユニットであって、
前後調整機構は、ハウジング３２に固定した上下方向の揺動軸４４で前後揺動可能に軸支した揺動アーム４１と、揺動アーム４１とハウジング３２との間に設けられて、揺動アーム４１を前後方向へ調整操作する調整ねじ４２と、揺動アーム４１に装着されて調整ねじ４２とかみ合う雌ねじ体４３とを含み、
ランナー軸５０が揺動アーム４１に設けたボス部４０で上下動自在に支持され、ばね５２で進出付勢してある戸パネル用のランナーユニット。
【請求項５】
ハウジング３２に揺動アーム４１を収容するアーム室３６が前後方向の外面一側と下向きに開口する状態で形成されており、
揺動アーム４１の一端が、アーム室３６の一側において揺動軸４４で前後揺動自在に軸支され、その揺動先端にボス部４０が設けられており、
調整ねじ４２は、揺動アーム４１および雌ねじ体４３を前後に貫通する状態で組まれて、その軸端がハウジング３２で回転のみ自在に軸支され、他端の操作部４８がハウジング３２の外方に臨ませてある請求項４記載の戸パネル用のランナーユニット。
【発明の詳細な説明】
【０００１】
【発明の属する技術分野】
この発明は、引き戸や吊り戸などに適用されるランナーユニット、なかでもランナーユニットに組まれた前後調整機構の調整要素が、前後揺動するアームとねじとで構成してあるランナーユニットに関する。
【０００２】
【従来の技術】
揺動アームとねじを調整要素とするランナーユニットは、例えば本出願人の提案に係る特開平１１−５０７２９号公報に見ることができる。そこでは、戸パネルに固定したハウジングで、水平の軸を介して揺動アームを前後傾動可能に軸支し、揺動アームとハウジングとの間に調整用のねじを設けている。揺動アームの上端には、上下調整用のスライド体を兼ねるローラブラケットを介してローラが軸支してある。
【０００３】
この発明では、調整要素として先の揺動アームと溝カムとを併用するが、溝カムを用いて前後調整を行うことは特開平８−２１１４５号公報に公知である。特開平１０−２２７１７０号公報にも同じ趣旨の調整構造を見ることができる。
【０００４】
【発明が解決しようとする課題】
特開平１１−５０７２９号公報におけるランナーユニットは、前後調整時にローラが揺動アームと共に前後傾動するようになっている。そのため、ガイドレールのレール溝形状およびローラの周面断面形状をそれぞれ半円形にする必要があり、とくにガイドレールを特注品化せざるを得ず、そのコストが嵩むのを避けられない。揺動アームを限度まで傾動した状態では、ローラ転動面に偏荷重が作用するため、ローラが偏磨耗するおそれがあり、とくに戸パネルの重量が大きい場合に適用できない。
【０００５】
この発明の目的は、施工時の戸パネルの前後調整や、経年変化によって戸パネルが反り変形した場合等の、前後位置矯正を簡単に行えるランナーユニットを提供することにある。この発明の他の目的は、前後調整時にランナー本体と戸パネルとを平行に相対移動でき、従って前後調整に伴ってローラに偏荷重が作用するのを解消し、常に適正な状態でランナー本体を走行移動できるうえ、一般に多用されている断面Ｃ字形のガイドレールを適用できる吊車型のランナーユニットを提供することにある。この発明の他の目的は、前後調整機能に加えて高さ調整機能も備えていながら、その構成部品点数が少なくて済み、その分製造コストを削減できる吊車型のランナーユニットを提供することにある。この発明の他の目的は、前後調整機構を備えていて、戸パネルの下側の前後調整を行うことができる、振れ止めを兼ねるランナーユニットを提供することにある。
【０００６】
【課題を解決するための手段】
この発明のランナーユニットは、ガイドレール２で走行案内されるランナー本体４と、戸パネル１に装着されるハウジング５とを有し、ランナー本体４に設けたランナー軸８とハウジング５との間に、前後調整機構が設けてある。前後調整機構は、ハウジング５に固定した上下方向の揺動軸１８で前後揺動可能に軸支した揺動アーム１９と、ハウジング５で左右スライド自在に案内支持されて、調整ねじ２１で左右方向へ変位操作されるカム板２０とを含む。ランナー軸８は、カム板２０に設けたカム溝２３を挿通する状態で揺動アーム１９に連結する。以て、カム板２０の左右変位をカム溝２３で前後変位に変換して、ランナー軸８および揺動アーム１９を前後方向へ調整操作する。
【０００７】
ランナー軸８はランナーブロック６で回転自在に軸支する。ランナー軸８と揺動アーム１９とは高さ調整用のねじ２５を介して連結する。ハウジング５から突出するランナー軸８の一部に操作部９を設ける。
【０００８】
ハウジング５に揺動アーム１９を収容するアーム室１３を前後貫通状に形成する。アーム室１３の上壁にカム板２０をスライド案内するためのガイド部１４を設ける。カム板２０は、ガイド部１４で案内される断面コ字状のスライド部２０ａと、スライド部２０ａの一端下部に設けられる雌ねじ部２０ｂとを備えている。ハウジング５で回転のみ自在に支持した調整ねじ２１をカム板２０の雌ねじ部２０ｂにねじ込んで、カム板２０を左右方向へ変位操作可能とする。
【０００９】
この発明の別のランナーユニットは、ガイドレール３で移行案内されて戸パネル１の下側の前後遊動を規制するランナー３１と、戸パネル１に装着されるハウジング３２とを有し、ランナー３１のランナー軸５０とハウジング３２との間に、第２の前後調整機構を設ける。前後調整機構は、ハウジング３２に固定した上下方向の揺動軸４４で前後揺動可能に軸支した揺動アーム４１と、揺動アーム４１とハウジング３２との間に設けられて、揺動アーム４１を前後方向へ調整操作する調整ねじ４２と、揺動アーム４１に装着されて調整ねじ４２とかみ合う雌ねじ体４３とを含む。ランナー軸５０は揺動アーム４１に設けたボス部４０で上下動自在に支持し、ばね５２で進出付勢する。
【００１０】
ハウジング３２に揺動アーム４１を収容するためのアーム室３６を前後方向の外面一側と下向きに開口する状態で形成する。揺動アーム４１の一端を、アーム室３６の一側において揺動軸４４で前後揺動自在に軸支し、その揺動先端にボス部４０を設ける。調整ねじ４２は、揺動アーム４１および雌ねじ体４３を前後に貫通する状態で組み、その軸端をハウジング３２で回転のみ自在に軸支し、他端の操作部４８をハウジング３２の外方に臨ませる。
【００１１】
【発明の作用効果】
揺動アーム１９を上下方向の揺動軸１８で軸支して、揺動アーム１９に連結したランナー軸８を、水平面に沿って前後揺動操作できるようにするので、前後調整時にランナー本体４の姿勢が変化するのを防止できる。従ってこの発明のランナーユニットによれば、常に適正な姿勢でランナー本体４を走行移動でき、従来のこの種のランナーにおいて避けられなかったローラ７の偏摩耗を一掃できる。ローラ７の姿勢を常に一定に保持できるので、ガイドレール２として一般に多用されている断面Ｃ字形の普及品を適用できる点でも有利である。
【００１２】
ランナー軸８を揺動アーム１９に同行して前後揺動のみ可能に安定支持したうえで、カム板２０を左右操作することによってランナー軸８を前後方向へ調整移動し、位置決めする調整形態を採るので、例えば戸パネル１に前後方向や左右方向の外力が作用するとき、これらの外力に対して揺動アーム１９とカム板２０とが協同して対抗し、ランナー軸８を調整位置に安定して位置保持できる。この点カム溝を調整要素とする従来のランナーユニットでは、揺動アーム１９に相当するランナー台が、ハウジングに対してカム溝のみで位置保持されていて安定性に欠けるが、揺動アーム１９によってランナー軸８の動作範囲を規制する本発明のランナーユニットでは、ランナー軸８を安定して位置保持できる。ハウジング５の側にガイド溝を形成する必要もない。
【００１３】
ランナー軸８と揺動アーム１９とをねじ２５を介して連結し、このねじ２５を利用してランナー軸８のねじ込み量を変更することにより戸パネル１の高さ調整を行うランナーユニットによれば、高さ調整機構の構造を簡素化できる。また、前後調整用の揺動アーム１９を高さ調整用の調整対象として利用するので、前後調整と高さ調整機能を備えているランナーユニットであるにもかかわらず、その構成部品数を減らし、低コスト化できる。
【００１４】
ハウジング５に前後貫通状のアーム室１３を設け、そこに揺動アーム１９を組み込み、さらにアーム室１３の上壁を利用してカム板２０を左右スライドのみ自在に案内支持するので、揺動アーム１９やカム板２０のハウジング５に対する組み付けを容易に、しかも迅速に行え、ランナーユニットの組み立てに要する手間とコストを削減できる。スライド部２０ａと雌ねじ部２０ｂとを備えたカム板２０によれば、調整ねじ２１用の雌ねじ体を別部品化する場合に比べて、前後調整用の部品数を減らして、その分だけ製造コストを節約できる。
【００１５】
戸パネル１の前後遊動を規制するランナー３１を含むランナーユニットにおいては、先のランナー本体４を備えたランナーユニットに比べて負担するべき荷重が十分に小さい。そこで、揺動アーム４１とハウジング３２との間に調整ねじ４２を設けて、揺動アーム４１とハウジング３２との間隔量を調整することにより、ランナー３１の前後調整を行っている。この場合にも、ランナー軸５０は揺動アーム４１に同行して水平揺動するだけであるので、前後調整に伴ってランナー３１の姿勢が変わるのを阻止し、ランナー３１をガイドレール３に対して常に適正に走行させることができる。前後調整時の揺動アーム４１の前後揺動によって、調整ねじ４２と揺動アーム４１の交差角が変わるが、この角度変化を吸収して調整ねじ４２を支障なく調整回動できるようにするために、雌ねじ体４３を揺動アーム４１とは別に設けている。
【００１６】
揺動アーム４１に設けたボス部４０にランナー軸５０を組むので、ランナー軸５０およびランナー軸５０を進出付勢するばね５２を収容するためのケースを省略して、その分だけランナーユニットのコストを削減できる。ランナー軸５０をばね５２で進出付勢するのは、ガイドレール３が片方へ向かって傾斜しているような場合であっても、ランナー３１をガイドレール３に密接させて、戸パネル１のがた付きを防ぎ、その開閉を円滑化するためである。
【００１７】
ハウジング３２に前後方向の外面一側と下向きに開口するアーム室３６を設け、そこに揺動アーム４１を組むので、揺動アーム４１のハウジング３２に対する組み付けを容易にしかも簡単に行える。因みに、ランナー３１と調整ねじ４２と雌ねじ体４３などの部品は、予め揺動アーム４１に組み付けておくことになるので、組み立て作業の大半を簡単に行える。前後揺動する揺動アーム４１を、アーム室３６内に完全に収容するので、外観上の体裁を向上できるうえ、例えば、アーム室３６の開口面をキャップで塞いでおけば、いたずらを受けにくい。
【００１８】
【実施例】
図１ないし図６はこの発明に係るランナーユニットを引戸に適用した実施例を示す。図２において符号１は木製の戸パネル、２はアルミニウム形材からなる上側のガイドレール、３は同じく下側ガイドレールである。戸パネル１の両側端の上隅のそれぞれに吊車型のランナーユニットを装着し、戸パネル１の両側端の下隅のそれぞれに、振れ止め用のランナーユニットを装着する。
【００１９】
吊車型のランナーユニットは、ガイドレール２で走行案内されるランナー本体４と、戸パネル１に埋設固定されるハウジング５と、ハウジング５内に設けた前後調整機構、および高さ調整機構などで構成する。図３において、ランナー本体４は横長四角形状のランナーブロック６と、ランナーブロック６の前後面に配置した左右一対ずつのローラ７と、ランナーブロック６の中央部において回転自在に連結支持したランナー軸８とで構成する。符号１１はローラ軸である。ランナーブロック６の下面に臨む軸部分には、ランナー軸８を回転操作するための操作部９を設け、軸部の過半下部にねじ部１０を形成する。
【００２０】
ハウジング５は、側面視が逆鍵穴形で、正面視が四角形状のプラスチック成形品からなり、そのほぼ中央部に前後貫通状のアーム室１３が形成してある。アーム室１３の上壁には、後述するカム板２０用のガイド部１４を逆凸字状に形成し（図４参照）、上壁のほぼ中央にランナー軸８用の逃げ穴１５を通設する。アーム室１３の内面右端には受座１６が設けられる。
【００２１】
前後調整機構は、先の受座１６に嵌め込まれて、上下方向のピン（揺動軸）１８で前後揺動自在に軸支される揺動アーム１９と、ガイド部１４で左右スライド自在に案内支持されるカム板２０と、カム板２０をスライド操作する調整ねじ２１とからなる。揺動アーム１９の揺動先端部はボス状に形成してあり、その内部にランナー軸８に設けたねじ部１０とかみ合うねじ穴（雌ねじ体）２２が形成してある。カム板２０は、上向きに開口する断面コ字状のスライド部２０ａと、スライド部２０ａの側端に連続して直交状に折り曲げられる雌ねじ部２０ｂとを一体に形成したプレス金具からなる。スライド部２０ａの板面にはカム溝２３を通設する。雌ねじ部２０ｂには、調整ねじ２１とかみ合うねじボス２４を形成する。なお、揺動アーム１９の前後揺動を許すために、アーム室１３の周囲壁の前後厚み寸法は、揺動アーム１９の前後厚み寸法より大きく設定してある。
【００２２】
上記の各部品１８〜２４は、例えば次の要領でハウジング５に組み付ける。まず、スライド部２０ａをガイド部１４に下面側から当てがって、カム板２０をアーム室１３に組む。次に揺動アーム１９の基端部を受座１６に嵌め込んで、受座１６と揺動アーム１９とをピン１８で連結する。次に、調整ねじ２１をねじ座２６の側からアーム室１３へ向かって差し込み、そのねじ軸を雌めじ部２０ｂのねじボス２４にねじ込み、ハウジング５の上方から差し込んだリテーナ板２７で、調整ねじ２１を抜き外れ不能に、しかし回転は可能に係合保持する。最後に、ランナー軸８を逃げ穴１５とカム溝２３に挿通し、そのねじ部１０を揺動アーム１９のねじ穴２２にねじ込んで、ランナー本体４をハウジング５と一体化する。
【００２３】
上記の様にユニット部品化されたランナーユニットは、予めガイドレール２に組み込んでおき、ハウジング５を戸パネル１に形成した装着穴２８に装填した後、ビス２９をねじ込むことにより戸パネル１と一体化される。戸パネル１を吊り込んだ状態において、前後に隣接する戸パネル１の間隔量を確認し、その値が適正でない場合には、調整ねじ２１を回動操作してランナー軸８と戸パネル１とを前後に相対変位させる。
【００２４】
具体的には、調整ねじ２１を操作してカム板２０を図３において左方へ移動させると、ランナー軸８はカム溝２３に押されて紙面手前側へ移動しようとする。実際には、ランナー本体４はガイドレール２に拘束されて前後移動できないので、戸パネル１の側が紙面奥側へ変位する。図１においては、揺動アーム１９はローラ軸１１を中心にして、ピン１８の側が反時計回転方向へ相対揺動する。当然、カム板２０を逆向きに移動させると、戸パネル１は図において紙面から離れる向きに変位する。このように、調整ねじ２１を調整回動するだけで、戸パネル１の前後位置を簡単にしかも速やかに調整できる。
【００２５】
高さ調整機構は、ランナー軸８と揺動アーム１９とで構成し、ランナー軸８のアーム室１３を回動して、ねじ部１０の揺動アーム１９に対するねじ込み量を大小に変更することにより、戸パネル１の高さを増減できる。つまり、ねじ部１０とねじ穴２２とが高さ調整用のねじ２５を兼ねている。
【００２６】
図５および図６において、振れ止め用のランナーユニットは、下側のガイドレール３で走行案内されるランナー３１と、戸パネル１に埋設されるハウジング３２と両者３１・３２の間に設けられる第２の前後調整機構とで構成する。
【００２７】
図６に示すように、ハウジング３２は戸パネル１の装着穴３３に装填される不完全円形の埋設部３４と、埋設部３４の左右に張り出したフランジ部３５とを有し、埋設部３４の内部に前後調整機構を収容するアーム室３６を有する。アーム室３６はフランジ部３５を張り出した側と下面側とがそれぞれ開口してあり、その内部右側に後述する揺動アーム４１用の受座３７を備えている。
【００２８】
前後調整機構は、一側端に縦長のボス部４０を有する横臥Ｔ字状の揺動アーム４１と、揺動アーム４１を前後操作する調整ねじ４２、および調整ねじ４２用の雌ねじ体４３などで構成する。揺動アーム４１は、ボス部４０から遠い側の端を先の受座３７に嵌め込んだ後、受座３７と揺動アーム４１とを上下方向のピン（揺動軸）４４で連結することにより、ハウジング３２で前後揺動自在に軸支される。丸軸状の雌ねじ体４３は揺動アーム４１の中途部に設けた調整穴４５でピン４４と平行に支持される。雌ねじ体４３に設けたねじ穴４６に調整ねじ４２をねじ込み、ねじ軸の先端をハウジング３２の内奥壁で軸支し、さらにリテーナー板４７で軸方向へ移動不能に係合保持することにより、揺動アーム４１を調整ねじ４２で雌ねじ体４３を介して前後揺動できる。符号４８は操作部である。
【００２９】
ランナー３１は、先のボス部４０に設けた軸穴４９で支持されるランナー軸５０と、ランナー軸５０の下端に設けた縦ローラ５１とからなる。ランナー軸５０は軸穴４９で上下動可能に案内支持され、その上部に装填した圧縮コイル形のばね５２で押し下げ付勢される。縦ローラ５１は鍔部５３と逆円錐台状のローラ部５４とを有し、ランナー軸５０で遊転自在に軸支する。
【００３０】
前後調整を行う場合には、ハウジング３２の外面に臨む操作部４８を回動して、揺動アーム４１を前後いずれかへ揺動させる。この場合の揺動アーム４１と戸パネル１との関係は、先の吊車型のランナーユニットにおいて説明したのと同様に、揺動アーム４１はランナー軸５０を中心にして、そのピン４４の側が相対揺動して、戸パネル１を前後いずれかへ相対揺動させる。このように、戸パネル１の上下ランナーユニットのそれぞれに前後調整機構を設けておくと、戸パネル１の全体を前後方向へ平行に調整移動し、あるいは戸パネル１の上側あるいは下側のみを前後方向へ調整移動できるので、引き戸の施工時はもちろん、経年変化によって戸パネル１が返り変形するよう場合にも、戸パネル１の開閉時に隣接する戸パネル１どうしがこすれ合うのを解消できる。
【００３１】
図７は吊車型のランナーユニットの変形例を示す。そこでは、揺動アーム１９の雌ねじ体２２として既製品のナットを利用し、これを揺動アーム１９に形成されるランナー軸８用の挿通穴５６と直交する角穴５７に装填して、ランナー軸８を受け止めるようにした。また、リテーナ板２７を前後向きに差し込み装填した。他は、先の実施例と実質的に同じであるので、同じ部材に同じ符号を付して、その説明を省略する。
【００３２】
上記の実施例以外に、吊車型のランナーユニットと振れ止め用のランナーユニットはそれぞれ折り戸に適用することができる。調整ねじ２１・４２は、ビス以外のボルトを適用できる。雌ねじ体４３は板ナットで代用できる。振れ止め用のランナーユニットは、必ずしも縦ローラ５１を備えている必要はなく、縦ローラ５１の代わりに、ガイドレール３で案内されるスライド片を備えているものであってもよい。
【図面の簡単な説明】
【図１】図３におけるＡ−Ａ線断面図である。
【図２】引戸の正面図である。
【図３】吊車型ランナーユニットの縦断正面図である。
【図４】吊車型ランナーユニットの縦断側面図である。
【図５】振れ止め用ランナーユニットの正面図である。
【図６】図５におけるＢ−Ｂ線断面図である。
【図７】吊車型ランナーユニットの別実施例を示す正面図である。
【符号の説明】
１  戸パネル
２  ガイドレール（上）
３  ガイドレール（下）
４  ランナー本体
５  ハウジング
８  ランナー軸
１８  揺動軸（ピン）
１９  揺動アーム
２０  カム板
２１  調整ねじ
２３  カム溝
【図１】
0004437859.tif 000002
【図２】
0004437859.tif 000003
【図３】
0004437859.tif 000004
【図４】
0004437859.tif 000005
【図５】
0004437859.tif 000006
【図６】
0004437859.tif 000007
【図７】
0004437859.tif 000008